(57)【特許請求の範囲】
【請求項１】
鋼帯処理ラインのストリップのエッジ部に付着した水等を除去するものであって、ストリップの上側に間隔を存して、ストリップ幅方向に沿う水平軸回りに回動自在に支持された平面視矩形のフレームと、該フレームを回動させる操作ハンドルと、前記フレームを回動・固定可能とさせる手段と、前記フレームの上側に固定されてストリップ幅方向に延びたエアーヘッダと、該エアーヘッダからストリップ長さ方向に沿って下方に伸び、かつ、ストリップ幅方向に複数対設けられたエアー噴射管と、該噴射管の先端に取り付けられたエアーノズルとを備えたストリップのエッジワイパー装置。
【請求項２】
前記フレームを回動、固定させる手段において、第２支柱に円弧状のスリットを設け、前記操作ハンドルに設けた孔と前記スリットを合わせ、ボルトを通し、ナットで締結するようにし、前記フレームの回動範囲を無段階に変更可能とした請求項１記載のストリップのエッジワイパー装置。
【発明の詳細な説明】
【技術分野】
【０００１】
本発明は、鋼帯処理ラインのリンガーローラーやテンションレベラー他に適用可能なストリップのエッジワイパー装置に関するものである。
【背景技術】
【０００２】
この種の装置の第１例として、鋼板エッジの水などを除去するために、鋼板幅の大きさによってそれぞれのエッジにあたるように、複数のエアーノズルが設けられていた。そして、板の形状異常などでノズル退避させたい場合は、エアーシリンダなどで持ち上げていた。
【０００３】
この種の装置の第２例として、特許文献１のものは次のようなものであった。即ち、
図５に示したように、２本のロールが弾性ウレタンゴムからなり、ロール間にストリップ１を挟んで通過させるとき、ストリップ長端に生じる三角形の隙間７から出てくる液をシールするノズル８が設けられる。ノズルは隙間７に高圧空気を噴射する。ノズル位置を移動できるように、ネジ棒をチエン１２を介してモータ９を回転させ、ネジ棒に搭載されたノズルを移動させる。
【０００４】
また第３例として、特許文献２のものは次のようなものであった。即ち、ストリップの上下にエアーヘッダを設け、これらを板幅方向に移動可能とし、エアーヘッダの位置を検出する装置を設けたものである。
【先行技術文献】
【特許文献】
【０００５】
【特許文献１】特開平８−１１７８２０号公報
【特許文献２】特開昭５９−３３０２２号公報
【発明の概要】
【発明が解決しようとする課題】
【０００６】
しかしながら、これらの従来の装置ではいずれも大がかりなノズルの駆動装置を必要とする。また、第２、第３例のものでは、ノズルをストリップ幅方向に移動させるので、ストリップの両側にスペースを必要とし、作業者はその部分に近づくことができない。このように、ノズルを直線的に移動させるので、原理的に広い空間が必要であり、駆動エアーシリンダのストロークも長くなる。
【０００７】
本発明は上記課題を解決し、エアーノズルを必要な時に簡単に退避でき、エアーシリンダなどの駆動装置を使わない装置を提供することを目的とする。
【課題を解決するための手段】
【０００８】
本発明の第１課題解決手段は、鋼帯処理ラインのストリップのエッジ部に付着した水等を除去するものであって、ストリップの上側に間隔を存してストリップ幅方向に沿う水平軸回りに回動自在に支持された平面視矩形のフレームと、該フレームを回動させる操作ハンドルと、前記フレームを回動・固定可能とさせる手段と、前記フレームの上側に固定されてストリップ幅方向に延びたエアーヘッダと、該エアーヘッダからストリップ長さ方向に沿って下方に伸び、かつ、ストリップ幅方向に複数対設けられたエアー噴射管と、該噴射管の先端に取り付けられたエアーノズルとを備えたことである。
【０００９】
本発明の第２課題解決手段は第１課題解決手段に加え、前記フレームを回動、固定させる手段において、第２支柱に円弧状のスリットを設け、前記操作ハンドルに設けた孔と前記スリットを合わせ、ボルトを通し、ナットで締結するようにし、前記フレームの回動範囲を無段階に変更可能としたことである。
【発明の効果】
【００１０】
本発明の第１課題解決手段により、エアーノズルを必要な時に簡単に退避でき、エアーシリンダなどの駆動装置を使わない装置を提供できることとなった。また、本発明の第２課題解決手段により、第１課題解決手段の効果に加え、前記フレームの回動範囲を無段階に変更可能となった。
【図面の簡単な説明】
【００１１】
【図１】本発明の一実施例の要部平面図である。
【図２】図１のＸ２−Ｘ２断面図である。
【図３】図１の要部斜視図である。
【図４】他の実施例の要部斜視図である。
【図５】従来装置の側面図である。
【発明を実施するための形態】
【００１２】
以下に本発明の一実施例を図面にもとづき説明する。
図１，２において、本発明は鋼帯処理ラインのストリップＳのエッジ部に付着した水等を除去するものである。その大要は、ストリップの上側に間隔を存してストリップ幅方向に沿う水平軸３の回りに回動自在に支持された平面視矩形の主フレーム１と、該フレームを回動させる操作ハンドル１１と、前記フレームを回動・固定可能とさせる手段１２と、前記フレームの上側に固定されてストリップ幅方向に延びたエアーヘッダ５と、該エアーヘッダからストリップ長さ方向に沿って下方に伸び、かつ、ストリップ幅方向に複数対設けられたエアー噴射管６と、該噴射管の先端に取りつけられたエアーノズル７とを備えたものである。
【００１３】
平面視矩形の主フレーム１は、その展延面をほぼストリップの上面に平行とし、かつ、矩形の対向２辺（前後辺）をストリップの両端（エッジ）に平行となっている。フレームの対向２辺（前後辺）の中央から水平軸３がストリップ幅方向に延びて設けられ、この水平軸が床から立てられた第１支柱８の上面に軸受を介して回転自在とされる。
【００１４】
主フレーム１の対向２辺（前後辺）の前辺の上側に、門形の副フレーム２が立設され、この上辺中央から中間片４を介して、ハンドル軸１０が板幅方向手前へ延び、その先端に細板状の操作ハンドル１１が設けられる。これによってハンドルを両手で握って右回り、左回りさせると、主フレーム１は水平軸回りに揺動する。
【００１５】
操作ハンドル１１に接近して第２支柱９が床から立設され、これには位置決め孔９ａが２個設けられている。そして、この孔とハンドルに設けた孔とを合わせて、ボルト１２を通して締結する。
【００１６】
前記において、板幅の大，中，小に対応してノズル系統（各々ａ，ｂ，ｃで表す）を分ける。機側にある「エッジワイパー操作盤」にＰＢＬ（プッシュボタン・ランプ），「大」，「中」，「小」の操作表示を設ける。各ＰＢＬに対応した系統のノズルからエアーを送る。このため、各系統に電磁弁と、その操作のためのリレー回路が設けられる。電磁弁不良の対策として、各電磁弁に対してバイパスを設ける。各系統に弁と圧力系を設置する。
【００１７】
以上において、作動状態を説明する。図１、２に示すように、実線示のように、板幅「小」に対応したノズル７ｃ，噴射管６ｃ，ヘッダ５ｃに圧縮エアーが供給され、ストリップのエッジ部に付着している水などを吹き飛ばして除去する。板幅が変われば、それに対応したノズル、噴射管、ヘッダに圧縮エアーが供給される。
【００１８】
今、ノズル７をストリップから離す場合、まずエアーの供給を止めてから、操作ハンドル１１のボルト１２を緩めて外し、ハンドルを両手で持って少し左に回し、ハンドルと第２支柱９の両孔にボルトを通して締結する（図３）。これにより、ノズルを含む空気系と共に主フレーム１が少し左に回り、図２の点線示のように、ノズルがストリップから離れた状態となる。
【００１９】
図４は他の実施例を示す。操作ハンドル１１を回動、固定させる手段として、第２支柱９に円弧状のスリット９ａを設け、ハンドルの孔とスリットを合わせ、ボルト１２を通し、蝶ナット１３で締結するようにした。これにより、ボルトをいちいち外すことなく、蝶ナットを緩めるだけで、ハンドルの回動範囲を変更可能となる。
【００２０】
本発明は前記した実施例や実施態様に限定されず、特許請求の範囲および範囲を逸脱せずに種々の変形を含む。
【産業上の利用可能性】
【００２１】
本発明はストリップのエッジワイパー装置に利用される。
【符号の説明】
【００２２】
Ｓ  ストリップ（鋼帯）
１  主フレーム  
２  副フレーム
３  水平軸
４  中間片
５  エアーヘッダ
６  エアー噴射管
７  エアーノズル  
８  第１支柱
９  第２支柱
９ａ  孔
９ｂ  スリット
１０  ハンドル軸
１１  操作ハンドル
１２  ボルト
１３  蝶ナット
【図１】
0005751694.tif 000002
【図２】
0005751694.tif 000003
【図３】
0005751694.tif 000004
【図４】
0005751694.tif 000005
【図５】
0005751694.tif 000006